(57)【要約】【課題】お風呂におけるヒートショックなどによる死亡防止に有効な見守りを可能とするお風呂見守りシステムを得る。【解決手段】浴室１に設置された動体の動きに反応する人感センサ２ａを含む経過時間計測手段２と、浴室１の下に設置され浴室１の荷重を検出する荷重検出手段４と、経過時間計測手段２が計測する特定経過時間の間の荷重検出手段４による荷重変化経過を記録する記憶手段２３Ａと、経過時間計測手段２による特定経過時間経過後における記憶手段２３Ａ内の荷重変化経過の記録に基づき異常正常を判断する判定手段２４と、この判定手段２４による判定情報を指定された連絡先に送る送信手段２５と、を備える。【選択図】図２
2008003965.tif 000002
【特許請求の範囲】
【請求項１】
浴室に設置された動体の動きに反応する人感センサを含む経過時間計測手段と、前記浴室の下に設置され前記浴室の荷重を検出する荷重検出手段と、前記経過時間計測手段が計測する特定経過時間の間の前記荷重検出手段による荷重変化経過を記録する記憶手段と、前記経過時間計測手段による前記特定経過時間経過後における前記記憶手段内の前記荷重変化経過の記録に基づき異常正常を判断する判定手段と、該判定手段による判定情報を指定された連絡先に送る送信手段とを備えることを特徴とするお風呂見守りシステム。
【請求項２】
前記経過時間計測手段は、前記人感センサからの信号を受けて前記浴室内の照明を点灯すると共に経過時間計測を開始し、前記特定経過時間後に前記照明を消灯することを特徴とする請求項１に記載のお風呂見守りシステム。
【請求項３】
前記経過時間計測手段と前記荷重検出手段とを含むお風呂見守り装置と、前記記憶手段と判定手段と前記判定手段による判定情報を指定された連絡先に送る送信手段とを含む管理サーバと、を電子通信手段で結ぶことを特徴とする請求項１叉は２に記載のお風呂見守りシステム。
【請求項４】
前記判定手段が、前記経過時間計測手段からの前記特定経過時間経過後の信号に基づき、前記特定経過時間の間の前記荷重変化経過の記録が、急に増えた基準重量ありのときと、徐々に増えた重量と共に急に増えた基準重量ありのときに、異常と判定することを特徴とする請求項１乃至３のいずれか１項に記載のお風呂見守りシステム。
【発明の詳細な説明】
【技術分野】
【０００１】
この発明は、お風呂見守りシステムに関する。特に、お風呂における見守り機能に重点を置いたお風呂見守りシステム関する。
【背景技術】
【０００２】
従来より、高齢者の見守りシステムは、数々提案されてきている。監視カメラを用いたシステムも可能であるが、監視されているというイメージが強く、設置に賛同しない高齢者が多い。
【０００３】
一方で、杖、給湯ポットなど日常使用する電気製品にセンサとその検出送信装置を備えたものが提案されている（例えば、特許文献１、特許文献２参照）。
【０００４】
また、高齢者宅の各所に赤外線センサからなる人感センサを設けるとともに、居間のベッドにはベッドセンサ（寝床センサ）を設け、これらの感応信号に基づいて人体の存在場所すなわち高齢者の居場所を判定する生活見守りシステムが提案されている（例えば、特許文献３参照）。
【０００５】
さらに、入浴者が安全に入浴できるように支援するお風呂用の見守り装置として、浴室リモコンに揺動検知装置を一体的に設け、入浴者の体動による浴槽湯面の水位変動を検知するのみならず、湯面の変動の小さい水中動作による湯の変動をも検知するようにして、入浴者の体動を見守るものが提案されている（例えば、特許文献４参照）。
【特許文献１】特開２００６−０８５６０９号公報（要約書、図１）
【特許文献２】特開２００５−１９６８１２号公報（要約書、図１）
【特許文献３】特開２００３−３１７１６５号公報（要約書、図１）
【特許文献４】特開２００３−２２７６５２号公報（要約書、図１）
【発明の開示】
【発明が解決しようとする課題】
【０００６】
しかしながら、住宅の死因の大部分を占めるお風呂におけるヒートショックによる高齢者の死亡防止には、特許文献１乃至３のようなこれまでの提案だけでは十分で無い。また、高齢者が単独で暮らしている場合などにおいては、特許文献４の提案でも十分とはいえない。そこで、本発明の解決しようとする課題は、お風呂におけるヒートショックなどによる死亡防止に有効な見守りを可能とするお風呂見守りシステムを提供することにある。
【課題を解決するための手段】
【０００７】
上記課題を解決するため、本発明では、浴室に設置された動体の動きに反応する人感センサを含む経過時間計測手段と、前記浴室の下に設置され前記浴室の荷重を検出する荷重検出手段と、前記経過時間計測手段が計測する特定経過時間の間の前記荷重検出手段による荷重変化経過を記録する記憶手段と、前記経過時間計測手段による前記特定経過時間経過後における前記記憶手段内の前記荷重変化経過の記録に基づき異常正常を判断する判定手段と、該判定手段による判定情報を指定された連絡先に送る送信手段と、を備えるお風呂見守りシステムとする。こうして、人感センサを含む経過時間計測手段と浴室の荷重を検出する荷重検出手段の両者を使ってお風呂における検出漏れなどによる高齢者の死亡防止のための盲点をなくし有効な遠隔地からの見守りを可能とするお風呂見守りシステムを提供する。さらには、浴室の荷重を検出する荷重検出手段は、浴室の下に設置され目立たないものであるため、見守られる人に監視されているという感覚を持たせず、見守ることが可能となる。
【０００８】
また、前記経過時間計測手段が、前記人感センサからの信号を受けて前記浴室内の照明を点灯すると共に経過時間計測を開始し、前記特定経過時間後に前記照明を消灯するお風呂見守りシステムとすれば、室内照明とお風呂見守りシステムのセンサを共有できる。
【０００９】
また、前記経過時間計測手段と前記荷重検出手段とを含むお風呂見守り装置と、前記記憶手段と判定手段と前記判定手段による判定情報を指定された連絡先に送る送信手段とを含む管理サーバと、を電子通信手段で結ぶお風呂見守りシステムとすれば、管理サーバによるサービスを拡大し、また種々の変更対応も容易となる。
【００１０】
また、前記判定手段が、前記経過時間計測手段からの前記特定経過時間経過後の信号に基づき、前記特定経過時間の間の前記荷重変化経過の記録が、急に増えた基準重量ありのときと、徐々に増えた重量と共に急に増えた基準重量ありのときに、異常と判定するお風呂見守りシステムとすれば、正常異常の判定を確実にできる。
【発明の効果】
【００１１】
本発明によれば、人感センサを含む経過時間計測手段と浴室の荷重を検出する荷重検出手段の両者を使ってお風呂における検出漏れなどによる高齢者の死亡防止のための盲点をなくし有効な遠隔地からの見守りを可能とするお風呂見守りシステムを得ることができる。さらには、浴室の荷重を検出する荷重検出手段は、浴室の下に設置され目立たないものであるため、見守られる人に監視されているという感覚を持たせず、見守ることが可能となる。
【発明を実施するための最良の形態】
【００１２】
以下本発明の実施の形態を図を参照しつつ説明する。
【００１３】
図１は、一実施の形態としてのお風呂見守りシステムにおけるお風呂見守り装置の概念説明用斜視図である。図２は、図１のお風呂見守り装置に適用可能なお風呂見守りシステムにおける構成ブロック図である。
【００１４】
まず、図１によりお風呂見守り装置の浴室の概要を説明する。浴室１には浴槽１ａが設置されている。浴槽１ａの前には洗い場１ｂが設置されている。浴室１の下には浴室の重さ（荷重）を検出する荷重検出手段４を設置している。荷重検出手段４は、１つであることもできるが、計測の偏りを防ぐため、複数設置し、その総計を浴室の荷重とする例をここでは記載している。さらに、この浴室１には、動体の動きに反応する人感センサ２ａを電灯（照明）３の付近に設置している。電灯３は、２つ設置されているが、人感センサ２ａはこの例では一方の電灯３近くに設置されている。
【００１５】
図１の（Ａ）では、誰も浴室にいない状態を示している。図１の（Ｂ）では、人が浴室１に入ってきて、人感センサ２ａが人の動きを感じ、電灯３が点灯し、また、荷重検出手段４も人の重力を感じた状態を示している。図１の（Ｃ）は、一定時間以上お風呂にいて、その人がヒートショック状態になっている時の状態を示している。（Ｃ）の状態では、点灯していた電灯３はしばらくは点灯しているが、人感センサ２ａからの信号で計測動作を開始する経過時間計測手段２（図２参照）からの信号によって消灯する。この経過時間計測手段２が計測する特定経過時間の間の荷重検出手段４により示された荷重変化経過が記憶手段２３Ａに記録される。この記録に基づいて異常状態が発生しているか、正常状態なのかを判定手段２４（図２参照）が判断する。（Ｃ）の状態では、電灯３は消え、荷重は人の荷重が加わったまま変化無いため、異常と判断される。
【００１６】
次に図２を参照して、お風呂見守りシステムにおける構成と動作とを説明する。ここでのお風呂見守りシステムは、お風呂見守り装置１０とこれとインターネットなどの通信手段を介して接続される管理サーバ２０とから成っている。お風呂見守り装置１０は、人感センサ２ａを含む経過時間計測手段２と浴室１の下に設置され浴室１の荷重を検出する荷重検出手段４と送信手段５とを有している。また、ここでは、経過時間計測手段２が、人感センサ２ａからの信号を受けて点灯する浴室１内の照明３を備える。
【００１７】
動体の動きに反応する人感センサ２ａを含む経過時間計測手段２、ここでは、人感センサ２ａからの信号で時間計測を開始し特定経過時間例えば数分後に信号を発するタイマー手段である、を浴室１に設置する。人感センサ２ａは、浴室内にあるが、経過時間計測手段２の主体部分は浴室１外に置かれてもよい。
【００１８】
経過時間計測手段２は人感センサ２ａからの信号で、時間計測を開始し、開始信号ＳＧ１を発信し照明３を点灯する（例えば、照明３への電源供給スイッチを入れる。）。同時に開始信号ＳＧ１は浴室１の下に設置され浴室１の荷重を検出する荷重検出手段４に送られ、荷重検出手段４の検出信号は、送信手段５へ送られ、送信手段５から送信される。
【００１９】
経過時間計測手段２は特定経過時間経過を計測すると終了信号ＳＧ３を照明３に送り照明３を消灯させる（例えば、照明３への電源供給スイッチを切る。）。それと共に、終了信号ＳＧ３は荷重検出手段４に送られ、荷重検出手段４は検出信号の送信を停止、この終了信号ＳＧ３は、送信手段５からインターネットなどの通信手段３０を介して管理サーバ２０に送られる。この特定経過時間の間の荷重検出手段４の検出信号は次々に管理サーバ２０に送られることになる。
【００２０】
管理サーバ２０は、送信手段５からの信号を受ける受信手段２１、受けた信号を記憶する記憶手段２３Ａ、利用者情報テーブル２２ａ、各利用者の履歴情報テーブル２２ｂなどを含むデータベース２２、記憶手段２３Ａの情報に基づき浴室１での正常状態、異常状態を判定する判定手段２４、判定情報を指定された連絡先に送る送信手段２５を備えている。
【００２１】
送信手段５からの特定経過時間に亘る荷重検出手段４の検出信号は、受信手段２１で受信され記憶手段２３Ａに記憶される。また、送信手段５からの信号には、どこのお風呂見守り装置１０からの信号なのかを特定するＩＤ信号が含まれている。このＩＤ信号はデータベース２２内の情報と照合され、判定に役立つ情報、指定されている送信先情報などの必要な情報が記憶手段２３Ａに持ち込まれる。判定手段２４は、これらの記憶手段２３Ａ内の情報に基づき、お風呂見守り装置１０の状態が正常か、異常かを判定する。判定情報は、送信手段２５からインターネットなどの通信手段３０を介して指定された連絡先、例えば、図２に示したように、親族等４１、救急医療センター４２、福祉センター４３に送られる。
【００２２】
ここで、図４の説明一覧図に基づきこの実施の形態における、人感センサ２ａを含む経過時間計測手段２と、荷重検出手段４と、判定手段２４との情報関係を説明する。
【００２３】
この実施の形態では、人感センサ２ａを含む経過時間計測手段２によって、照明３の点灯、消灯が行われるので、人感センサ２ａを含む経過時間計測手段２の情報Ｘを照明の点灯、消灯で表示している。人感センサ２ａが、人の動きを感じたのを起点に、照明の点灯を数分間継続後消灯、人の動き感知の度に再点灯を開始する。連続的に繰返し点灯が可能である。荷重検知手段４は、経過時間計測手段２の特定経過時間の間、次々に計測値を送る。また、記憶手段２３Ａは特定経過時間の間の計測値を記録する。この記憶手段２３Ａに記録された特定経過時間の間の記録を情報Ｙとする。判定手段２４は、正常、異常を判定し指定された関係者に異常を知らせる。この判定手段２４の判定結果を情報Ｚとする。
【００２４】
また、人体重量に匹敵するキログラム以上を基準重量とする。基準重量は、個々の対象高齢者に応じて、３０キログラムから６０キログラムの間、例えば、３０キログラム以上、５０キログラム以上などと定められる。また、荷重検知手段４の検出値は、浴槽の１ａに水の張っていない状態における浴室１の重量を除いたものが検出値とされる。
【００２５】
場合１乃至４のいずれにおいても、情報Ｘは、数分間動き無し消灯の場合に判定が行われる。場合１において、情報Ｙが、基準重量なしであれば、風呂場に人はいないことになり、情報Ｚは、正常とされる。場合２において、情報Ｙが、急に増えた基準重量ありであれば、人が倒れて動かない可能性あるので、情報Ｚは、異常とされる。場合３において、情報Ｙが、徐々に増えた重量のみの場合には、徐徐のため浴槽の水入れが行われたのみで人はいないと判断され情報Ｚは、正常とされる。場合４において、情報Ｙが、徐々に増えた重量と共に急に増えた基準重量ありの場合には、人が倒れて動かない可能性ありと判断され情報Ｚは、異常とされる。
【００２６】
次に、他の実施の形態について図３に基づいて説明する。図３は、上記の実施の形態における図２に相当し、同様の機能を果たす構成には、同符号を付けている。上記の実施の形態では、管理サーバに持たせていた機能をお風呂見守り装置１０内に配置した。すなわち、特定経過時間の間の荷重検出手段４の検出信号は、お風呂見守り装置１０内に配置した記憶手段２３Ｂに記録され、お風呂見守り装置１０内に配置した判定手段２４がお風呂見守り装置１０内の異常正常を判定する。また、人感センサ２ａの信号は開始信号ＳＧ１として直接照明３に入り、また、開始信号ＳＧ２は、荷重検出手段４に入る。このようにお風呂見守り装置１０が多くの機能を持つ場合は、管理サーバの負担は軽く記憶手段２３Ｃは、判定手段２４による判定結果の記憶と宛先記録を持てばよいことになる。連絡先は、図３では、連絡ＰＣ４４と携帯電話４５を例示した。
【００２７】
上記の実施の形態では、人感センサを含む経過時間計測手段と浴室の荷重を検出する荷重検出手段の両者を使ってお風呂における検出漏れなどによる高齢者の死亡防止のための盲点をなくし有効な遠隔地からの見守りを可能とするお風呂見守りシステムを提供できる。さらには、浴室の荷重を検出する荷重検出手段は、浴室の下に設置され目立たないものであるため、見守られる人に監視されているという感覚を持たせず、見守ることが可能となる。また、室内照明とお風呂見守りシステムのセンサを共有して活用できる。
【００２８】
先の実施の形態のように、経過時間計測手段と荷重検出手段とを含むお風呂見守り装置と、記憶手段と判定手段と判定手段による判定情報を指定された連絡先に送る送信手段とを含む管理サーバと、を電子通信手段で結び、管理サーバに多くの機能を待たせているため、管理サーバによるサービスの拡大、また種々の変更対応も容易となる。
【００２９】
また、判定手段が、経過時間計測手段からの特定経過時間経過後の信号に基づき、特定経過時間の間の荷重変化経過の記録が、急に増えた基準重量ありのときと、徐々に増えた重量と共に急に増えた基準重量ありのときに、異常と判定することとして、正常異常の判定を確実にしている。
【産業上の利用可能性】
【００３０】
以上のように、本発明によるお風呂見守りシステムはお風呂における検出漏れなどによる高齢者等の死亡防止のための盲点をなくし有効な遠隔地からの見守りを可能とするものとして有用であり、特にこれからの高齢者対策システムとして有効であり産業上の利用可能性は高い。
【図面の簡単な説明】
【００３１】
【図１】本発明による一実施の形態としてのお風呂見守りシステムにおけるお風呂見守り装置の概念説明用斜視図である。
【図２】図１のお風呂見守り装置に適用可能なお風呂見守りシステムにおける構成ブロック図を示す。
【図３】図１のお風呂見守り装置に適用可能な他のお風呂見守りシステムにおける構成ブロック図を示す。
【図４】図２と図３の実施の形態に適用できる人感センサを含む経過時間計測手段と荷重検出手段と判定手段との情報関係を説明するための説明一覧図である。
【符号の説明】
【００３２】
１  浴室、１ａ  浴槽、１ｂ  洗い場、２  経過時間計測手段、２ａ  人感センサ、３  電灯（照明）、４  荷重検出手段、５  送信手段、１０  お風呂見守り装置、２０  管理サーバ、２１  受信手段、２２  データベース、２２ａ  利用者情報テーブル、２２ｂ  履歴情報テーブル、２３Ａ，２３Ｂ，２３Ｃ  記憶手段、２４  判定手段、２５  送信手段、３０  通信手段、４１  親族等、４２  救急医療センター、４３  福祉センター、４４  連絡ＰＣ、４５  携帯電話、ＳＧ１，ＳＧ２  開始信号、ＳＧ３  終了信号、Ｘ，Ｙ，Ｚ  情報。
【図１】
2008003965.tif 000003
【図２】
2008003965.tif 000004
【図３】
2008003965.tif 000005
【図４】
2008003965.tif 000006